(57)【要約】【課題】  本発明は電力調整システムに関し、特に各事業所や各家庭内に設置されたエレベータやエアコン、電灯等の各装置の電源を投入する際、電力調整を行うことによって、所定の地域の電力供給を効率良く行い、消費電力の低減に寄与する電力調整システムに関する。【解決手段】  複数の電力消費装置と、該複数の電力消費装置が設置された所定エリアの電力調整を行う電力管理サーバと、を備えた電力調整システムであって、上記電力管理サーバは、予め設定された前記所定エリア内の電力のピーク値を記憶する第１の記憶手段と、上記複数の電力消費装置毎の初期電力と定格電力を記憶し、電力消費装置毎に重要度のレベルを記憶する第２の記憶手段とを備え、電力消費装置は電力投入の指示があると、電力管理サーバに通知し、電力管理サーバからの指示を待って前記電力消費装置の電源投入を行うものである。【選択図】  図１
2018057177.tif 000002
【特許請求の範囲】
【請求項１】
複数の電力消費装置と、該複数の電力消費装置が設置された所定エリアの電力調整を行う電力管理サーバと、を備えた電力調整システムにおいて、
前記電力管理サーバは、
予め設定された前記所定エリア内の電力のピーク値を記憶する第１の記憶手段と、
前記複数の電力消費装置毎の初期電力と定格電力を記憶し、該電力消費装置毎に重要度のレベルを記憶する第２の記憶手段と、を備え、
前記電力消費装置は電力投入の指示があると、前記電力管理サーバに通知し、前記電力管理サーバからの指示を待って前記電力消費装置の電源投入を行うことを特徴とする電力調整システム。
【請求項２】
前記電力管理サーバは、前記電力消費装置に電源投入の指示を送信する際、前記所定エリアで現に使用している電力の総和に前記電力消費装置の初期電力を加えた時、前記ピーク値を超えるか否かを判断し、前記ピーク値を超えない場合に前記電力消費装置に電源投入の指示を行うことを特徴とする請求項１に記載の電力調整システム
【請求項３】
前記ピーク値を超える場合、先ず前記第２の記憶手段に記憶する前記機器毎に重要度のレベルを参照し、重要性のレベルが低い機器から順に電源供給を停止し、再度前記ピーク値を超えるか否かを判断し、前記ピーク値を超えない場合に前記電力消費装置に電源投入の指示を行うことを特徴とする請求項１、又は２に記載の電力調整システム。
【請求項４】
前記所定エリアには複数の事業所、又は住宅を含み、前記電力消費装置にはエアコン、エレベータ、電灯を含むことを特徴とする請求項１、２、又は３に記載の電力調整システム。
【請求項５】
所定エリアに設置された複数の電力消費装置を含む電力調整システムであって、
前記電力消費装置は、予め設定された前記所定エリア内の電力のピーク値を記憶する第３の記憶手段と、前記複数の電力消費装置毎の初期電力と定格電力を記憶し、該電力消費装置毎に重要度のレベルを記憶する第４の記憶手段と、を備え、
前記電力消費装置は電力投入の指示があると、前記所定エリアで現に使用している電力の総和に前記電力消費装置の初期電力を加えた時、前記ピーク値を超えるか否かを判断し、前記ピーク値を超えない場合に前記電力消費装置に電源投入の指示を行うことを特徴とする電力調整システム。
【請求項６】
前記ピーク値を超える場合、先ず前記第４の記憶手段に記憶する前記機器毎に重要度のレベルを参照し、重要性のレベルが低い機器から順に電源供給を停止し、再度前記ピーク値を超えるか否かを判断し、前記ピーク値を超えない場合に前記電力消費装置に電源投入の指示を行うことを特徴とする請求項５に記載の電力調整システム。
【請求項７】
前記所定エリアには複数の事業所、又は住宅を含み、前記電力消費装置にはエアコン、エレベータ、電灯を含むことを特徴とする請求項５、又は６に記載の電力調整システム。
【発明の詳細な説明】
【技術分野】
【０００１】
本発明は電力調整システムに関し、特に各事業所や各家庭内に設置されたエレベータやエアコン、電灯等の各装置の電源を投入する際、電力調整を行うことによって、所定の地域の電力供給を効率良く行い、消費電力の低減に寄与する電力調整システムに関する。
【背景技術】
【０００２】
今日、電力の安定供給は極めて重要な課題である。しかし、各種生産工場、オフィース、更に各家庭内において消費する電力は一定ではない。時間により、又は季節によって変動する。例えば、夏の日中には冷房によって電力需要が最大する。また、一般家庭においても、１日の間に電力需要は変動する。しかし、電力料金の設定基準は、最大ピーク電力をもとに設定されている。したがって、常時大きな電力を使用しない事業所であっても、電力需要のピーク値が大きい場合、電力料金は高くなる。
【０００３】
従来、使用しない電灯や冷房の使用を止めることによって電力の節約を行っているが、ピーク値を下げない限り基本料金は下がらない。一方、今日のインターネット等の通信回線を使用する環境が極めて良好となり、例えば特許文献１に開示された装置毎にＩＰアドレスを設定して電力制御を行うことも可能である。
【先行技術文献】
【特許文献】
【０００４】
【特許文献１】特表２００５−５１０１２２
【発明の開示】
【発明が解決しようとする課題】
【０００５】
本発明は、エアコンやエレベータ等の所謂電力消費装置の電源を投入する際、当該電力消費装置が設置された所定エリア内のピーク電力を計算し、電力消費装置自身で判断して電源投入を行い、所定エリア内でのピーク値を超える電力消費を防止し、効率の良い電力調整を行うものである。また、エアコンやエレベータ等の電力消費装置が所定エリア内の電力管理を行うサーバに通知し、サーバからの応答に従って電源投入を行って同様に効率の良い電力調整を行うものである。
【課題を解決するための手段】
【０００６】
上記課題は第１の発明によれば、複数の電力消費装置と、該複数の電力消費装置が設置された所定エリアの電力調整を行う電力管理サーバと、を備えた電力調整システムにおいて、上記電力管理サーバは、予め設定された所定エリア内の電力のピーク値を記憶する第１の記憶手段と、上記複数の電力消費装置毎の初期電力と定格電力を記憶し、電力消費装置毎に重要度のレベルを記憶する第２の記憶手段とを備え、上記電力消費装置は電力投入の指示があると、上記電力管理サーバに通知し、この電力管理サーバからの指示を待って電力消費装置の電源投入を行う電力調整システムを提供することによって達成できる。
【０００７】
また、上記課題は第２の発明によれば、所定エリアに設置された複数の電力消費装置を含む電力調整システムであって、上記電力消費装置は、予め設定された所定エリア内の電力のピーク値を記憶する第３の記憶手段と、上記複数の電力消費装置毎の初期電力と定格電力を記憶し、電力消費装置毎に重要度のレベルを記憶する第４の記憶手段とを備え、電力消費装置は電力投入の指示があると、所定エリアで現に使用している電力の総和に当該電力消費装置の初期電力を加えた時、上記ピーク値を超えるか否かを判断し、ピーク値を超えない場合に当該電力消費装置自体の電源投入を行う電力調整システムを提供することによって達成できる。
【発明の効果】
【０００８】
本発明によれば、個々の電力消費装置、例えばエレベータやエアコン等への電源投入の際、電力消費装置自体によって効率のよい電力調整を行う制御を可能とし、電力料金を低減すると共に、効率の良い電力調整システムを提供することができる。
【図面の簡単な説明】
【０００９】
【図１】第１の実施形態の電力調整システムのシステム構成図である。
【図２】電源制御部の構成を示す図である。
【図３】記憶装置に構築されたデータベース（ＤＢ）の構成を説明する図である。
【図４】第１の実施形態の処理動作を説明するフローチャートである。
【図５】第１の実施形態の処理動作を説明するフローチャートである。
【図６】第２の実施形態の電力調整システムのシステム構成図である。
【図７】電力消費装置の構成を示す図であり、（ａ）は電力消費装置の全体図であり、（ｂ）は電力消費装置内の電源制御部の構成を示す図である。
【図８】第２の実施形態の処理動作を説明するフローチャートである。
【図９】第２の実施形態の処理動作を説明するフローチャートである。
【発明を実施するための最良の形態】
【００１０】
以下、本発明の実施の形態について図面を参照しながら説明する。
（第１の実施形態）
図１は本実施形態の電力調整システムのシステム構成図である。尚、本実施形態においては、複数の事業所１−１、１−２、・・を含む所定エリア２内の電力調整システムに使用される個々の装置について説明する。
【００１１】
例えば、事業所１−１には５台のエアコンＡ１〜Ａ５や、３台のエレベータＥ１〜Ｅ３、及び複数の電灯Ｌ１〜Ｌｎが設置され、それぞれ電源供給部３から電力供給が行われる。尚、事業所１−１には、更に不図示のプリンタやファクシミリ、パーソナルコンピュータ等の複数のオフィース機器も使用され、電源供給部３−１から同様に電力供給が行われる。
【００１２】
また、上記エアコンＡ１〜Ａ５や、エレベータＥ１〜Ｅ３、及び複数の電灯Ｌ１〜Ｌｎは通信回線を介して電源制御部４−１に接続され、電源制御部４−１には後述する記憶部５−１が接続されている。
【００１３】
尚、図１に示すように、本例の所定エリア２には事業所１−１以外に、事業所１−２、１−３、・・も含まれ、例えば事業所１−２についても同様に事業所内に複数のエアコンＡや、エレベータＥ、電灯Ｌ等の機器が設置され、夫々の機器に対応する電源供給部３−２、３−３、・・から電力供給が行われ、通信回線を介して電源制御部４−２、４−３、・・に接続されている。
【００１４】
図２は、電源制御部４−１、４−２、・・（以下、代表して番号４で示す）の構成を示す図である。同図において、電源制御部４はＣＰＵ６、ＲＯＭ７、ＲＡＭ８等で構成され、ＲＯＭ７に記憶されたプログラムに従って処理を行い、必要に応じて電源制御部４に接続された記録装置５にアクセスする。ディスプレイ９には必要な情報が表示される。
尚、本例のシステム制御はＲＯＭ７に記憶されたプログラムに従って実行されるが、同図に示すように電源制御部４に設置されたメディアドライバ１０（ａ）に必要な記録媒体１０（ｂ）を装着し、この記録媒体１０（ｂ）から上記プログラムを読み出して使用する構成としてもよい。
【００１５】
図３は、上記記録装置５に構築されたデータベース（ＤＢ）の構成を説明する図である。同図において、データベースには装置名と、該装置を起動する際の初期電力、及び定格電力が登録され、更に当該装置の重要度を示すレベル情報が登録されている。尚、装置名には更にＩＰアドレスも登録されている。
【００１６】
例えば、事業所１−１に設置されたエレベータＥ１は荷物用エレベータであり、前述のように、初期電力は３０ＫＷであり、定格電力が１５ＫＷである。また、このエレベータＥ１は荷物用であり、重要度のレベルは“３”に設定され、ＩＰアドレスの特定情報も記憶されている。また、エレベータＥ２は従業員用であり、前述のように初期電力は２０ＫＷであり、定格電力が１０ＫＷであり、重要度のレベルは“１”に設定され、ＩＰアドレスの特定情報も記憶されている。以下、エレベータＥ３、エアコンＡ１〜Ａ５、電灯等においても、同図のデータベースに記載される通りである。
【００１７】
また、上記エアコンＡ１〜Ａ５、エレベータＥ１〜Ｅ３等は、手動又はリモコンによって電源のオン／オフを行うが、ＬＡＮボード等を使用してオン／オフを行うことも可能である。尚、ＬＡＮボードの制御も電源制御部４によって行われる。
尚、上記のように所定エリア２には事業所１−１以外に、事業所１−２、１−３、・・も含まれ、他の事業所１−２、１−３、・・等の電源制御部４や記録装置５に構築されたデータベース（ＤＢ）についても同様に設定されている。
【００１８】
以上の構成において、以下に本例の処理動作を説明する。
図４は、本例の処理動作を説明するフローチャートである。尚、同図に示すフローチャートの左側はエアコンＡ１〜Ａ５や、エレベータＥ１〜Ｅ３等の電力を消費する機器や装置側（電力消費装置側）の処理動作を示し、右側は事業所の電源制御部４の処理動作を示す。
【００１９】
上記機器や装置（以下、電力消費装置で示す）側では、先ず電源投入の指示を待つ（ステップ（以下、Ｓで示す）１）。以下の説明では、例えば事業所１−１に設置された電力消費装置として、エアコンＡ１の例を使用して説明する。
上記のように電力消費装置であるエアコンＡ１は電源投入の指示を待ち、常時電源投入の指示があるか判断している（Ｓ２）。ここで、手動又はリモコンを操作してエアコンＡ１の電源投入の指示があると（Ｓ２がＹＥＳ）、エアコンＡ１から電源投入確認信号を電源制御部４に送信する（Ｓ３）。
【００２０】
電源制御部４側では常時現在の電力消費の総量を計算しており（ステップ（以下、ＳＴで示す）１）、エアコンＡ１からの電源投入確認信号の受信を待ち（ＳＴ２）、この信号を受信すると（ＳＴ３がＹＥＳ）、何れの電力消費装置から電源投入確認信号が入力したか調査する（ＳＴ４）。本例では、上記のようにエアコンＡ１から電源投入確認信号が送信されており、エアコンＡ１からの電源投入確認信号の送信であると判断して、電源制御部４は記録装置（ＤＢ）５−１からエアコンＡ１の初期電力を読み出す（ＳＴ５）。具体的には、前述の図３に示す記録装置５−１（ＤＢ）に記憶された初期電力２ＫＷのデータを読み出す（ＳＴ５）。
【００２１】
電源制御部４は更に、現在の事業所１−１で使用している電力の総量に上記初期電力を加算し（ＳＴ６）、加算した電力消費の総量がピーク電力を超えたか判断する（ＳＴ７）。ここで、ピーク値を超えていなければ（ＳＴ７がＮＯ）、当該エアコンＡに対して電源投入指示信号を送信する（ＳＴ８）。
【００２２】
エアコンＡ１（電力消費装置）側では前述のように電源制御部４からの指示を待っており（Ｓ４）、電源制御部４から電源投入指示信号は入力すると（Ｓ５がＹＥＳ）、当該エアコンＡ１の電源投入を行う（Ｓ６）。すなわち、エアコンＡ１の電源投入を手動又はリモコンによって指示した者は電源投入後、実際にエアコンＡ１に電源投入が行われるのを待ち、上記電源制御部４からの電源投入指示信号の入力によってエアコンＡ１に自動的に電源投入が行われる。
【００２３】
したがって、このように制御することによって、事業所１−１の電力消費量がピーク値を超えないことを確認してエアコンＡ１の電源投入を行うことができる。尚、エアコンＡ１の電源投入を指示した者が実際に電源投入が行われるまでのタイムラグに基づく違和感を解消する為、例えばエアコンＡ１にディスプレイを設け、「電力確認中」等の表示を行うようにしてもよい。また、リモコンを使用して電源投入を行う場合には、例えばリモコンに設けられたディスプレイに上記表示を行うようにしてもよい。
【００２４】
一方、加算値がピーク値を超えた場合（ＳＴ７がＹＥＳ）、何れかの電力消費装置の駆動停止処理を行う。この場合、先ず記録装置５−１（ＤＢ）を検索し、最も重要度の低い装置を選択する（図５に示すＳＴ９）。例えば、前述の図３に示す例では、重要度のレベル“３”のエレベータＥ１が選択される。
【００２５】
次に、選択した装置の定格電力を読み出し、現在使用している電力の総量から減算する（ＳＴ１０）。具体的には、記録装置（ＤＢ）８に記憶されたエレベータＥ１の定格電力１５ＫＷを減算する。そして、減算結果がピーク値を超えたか判断し（Ｓ１１）、減算結果がピーク値以下であれば（Ｓ１１がＮＯ）、当該電力消費装置（エレベータＥ１）の駆動を停止する（Ｓ１２）。但し、この場合、電力消費装置の駆動停止処理は、例えばエレベータＥ１が現在移動中であれば、当該作業が終了した後、駆動を停止する。その後、新たに駆動しようとする電力消費装置であるエアコンＡ１に対して電源投入指示信号を送信する（ＳＴ１３）。
【００２６】
エアコンＡ１（電力消費装置）側では、電源制御部４からの指示を待っており（Ｓ７）、電源制御部４から電源投入指示信号が入力すると（Ｓ７がＹＥＳ）、当該エアコンＡ１の電源投入を行う（Ｓ８）。すなわち、前述と同様エアコンＡ１の電源投入を手動又はリモコンによって指示した者は電源投入後、実際にエアコンＡ１に電源投入が行われるのを待っており、上記電源制御部４からの電源投入指示信号の入力によってエアコンＡ１に自動的に電源投入が行われる。
したがって、この場合も、事業所１−１の電力消費量がピーク値を超えないことを確認してエアコンＡ１の電源投入を行うことができる。
【００２７】
一方、上記減算結果が未だピーク値以上であれば（Ｓ１１がＹＥＳ）、次に重要度のレベルが低い装置に対する処理を行う（ＳＴ１４）。図３に示す例では、次に検索される装置は重要度のレベル“２”のエアコンＡ２であり、以下上記の処理を繰り返す。
尚、上記の説明では電力消費装置として、エアコンＡ１の電源投入について説明したが、他のエアコンやエレベータ、電灯であっても同様に実施することができる。また、事業所１−１内の電力消費装置（エアコンＡ１）について説明したが、他の事業所１−２、１−３、・・の電力消費装置についても同様に実施することができる。
【００２８】
以上のように、本実施形態の処理によれば、新たに電力消費装置の電源を投入する際、電力消費装置は電源制御部４に電源投入確認信号を送信すればよく、その後電源制御部４からの指示を待ち、実際に装置への電源投入を行うことによって、事業所１内又は複数の事業所を含むエリア２内でのピーク値を超える電力消費が行われることがなく、消費電力の効率良い運用を行うことができる。
（第２の実施形態）
【００２９】
次に、本発明の第２の実施形態について説明する。
本例は、複数の事業所を含む所定のエリア内に設置されたエアコンやエレベータ等の電力消費装置自体で同じエリア内の他の電力消費装置から電力消費の情報を取得し、電源投入の判断を行い、電力調整を行なう発明である。以下、具体的に説明する。
【００３０】
図６は本実施形態で使用する電力調整システムの構成を示す図である。本例においても、複数の事業所１１−１〜１１−ｎを含む所定エリア１２内の電力調整システムに使用される個々の装置について説明する。したがって、事業所１１−１には前述と同様、複数のエアコンＡ１、Ａ２、・・や、複数のエレベータＥ１、Ｅ２、・・及び複数の電灯Ｌ１、Ｌ２，・・が設置され、それぞれ電源供給部１３から電力供給が行われる。また、事業所１１−１には、更に不図示のプリンタやファクシミリ、パーソナルコンピュータ等の複数のオフィース機器も使用され、電源供給部１３−１から電力供給が行われる。
【００３１】
また、同図に示すように、本例の所定エリアには事業所１１−１以外に、事業所１１−２、１１−３、・・も含まれ、例えば事業所１１−２についても同様に事業所内に複数のエアコンＡや、エレベータＥ、電灯Ｌ等の機器が設置され、夫々の機器に電源供給部１３−２、１３−３、・・から電力供給が行われる。尚、以下の事業所１１−３、１１−４、・・についても同様の構成である。
【００３２】
また、本例の電力調整システムには、前述の第１の実施形態で使用した電源制御部は設置されておらず、個々の電力消費装置、即ちエリア１２（事業所１１−１、１１−２、・・）内に設置されたエアコンＡ（Ａ１、Ａ２、・・）やエレベータＥ（Ｅ１、Ｅ２、・・）、電灯Ｌ（Ｌ１、Ｌ２、・・）等の個々の電力消費装置が同じエリア１２内の他の電力消費装置から電力消費の情報を取得し、電源投入の判断を行い、電力調整を行なう。この為、電力消費装置には夫々電源制御部が設けられ、電源投入の判断を行う。
【００３３】
図７（ａ）は電力消費装置として、例えばエアコンＡ（Ａ１）の例を示す図である。同図示すように、エアコンＡ１は本体１６、電源制御部１７、ディスプレイ１８で構成されている。本体１６にはフィルターや冷気/暖気の吹き出し口等が設けられ、ディスプレイ１８には各種表示が行われ、例えば電源投入後の「電力確認中」等の表示も行われる。
【００３４】
電源制御部１７は、エリア１２内の他の電力消費装置からの電力消費情報を取得し、電源投入の判断を行う。同図（ｂ）は、電源制御部１７の具体的な構成を示す図であり、送受信部１９、制御部２０、電源指示スイッチ２１、電力計算部２２、電力ピーク値記憶部２３、レベル記憶部２４で構成されている。電源指示スイッチ２１は、電源投入指示を行うスイッチであり、例えば不図示のリモコンに設けられ、制御部２０は電源指示スイッチ２１が操作されると、送受信部１９を介して同じエリア１２内の電力消費装置、即ちエリア１２内に設置された他のエアコンＡや、エレベータＥ、電灯Ｌ等に信号を送り、当該エアコンＡや、エレベータＥ、電灯Ｌ等から使用する電力使用情報を取得する。
【００３５】
制御部２０はエリア１２内の他のエアコンＡや、エレベータＥ、電灯Ｌ等から使用電力の情報を受信すると、計算部２２に送信する。電力計算部２２は上記エアコンＡやエレベータＥから入力した電力の合計を計算する。そして、制御部２０は電力計算部２２によって計算した電力の合計値を取得し、電力ピーク値記憶部２３に記憶されたピーク電力と比較し、比較結果に基づいてエアコンＡ１への電源投入の判断を行う。また、レベル記憶部２４にはエリア１２内の電力消費装置の重要度に基づく情報が記憶され、制御部２０は後述するようにレベル記憶部２４に記憶された重要度に従って電力調整を行う。
【００３６】
以上の構成において、以下に本例の処理動作を説明する。
図８は、本例の処理動作を説明するフローチャートである。先ず、当該電力消費装置の電源投入指示を待つ（ステップ（以下、ＳＴＰで示す）１）。上記電源投入の指示は上記電源指示スイッチ２１であり、例えば不図示のリモコンから送信される信号を待つ。
【００３７】
その後、電源指示スイッチ２１が操作されると（ＳＴＰ２がＹＥＳ）、制御部２０は送受信部１９から同じエリア１２内の他の電力消費装置、例えば事業所１１−１内のエアコンＡ（Ａ１、Ａ２、・・）やエレベータＥ（Ｅ１、Ｅ２、・・）、電灯Ｌ（Ｌ１、Ｌ２、・・）、更に他の事業所１１−２、１１−３、・・等の同じエリア内のエアコンＡや、エレベータＥ、電灯Ｌ等に使用電力の情報の送信を依頼する（ＳＴＰ３）。そして、他の電力消費装置からの使用電力の情報入力を待つ（ＳＴＰ４）。
【００３８】
その後、エリア１２内の他の電力消費装置から使用電力の情報が入力すると（ＳＴＰ５がＹＥＳ）、制御部２０は入力した使用電力の情報を電力計算部２２に送り（ＳＴＰ６）、更に他の電力消費装置からの使用電力の情報入力を待つ。例えば、同じ事業所１１−１のエレベータＥ１から当該エレベータで現在使用している消費電力の情報を受信すると、この情報は電力計算部２２に送られる。一方、事業所１１−２の電灯Ｌから当該電灯で現在使用している消費電力の情報を受信すると、この情報も電力計算部２２に送られる。このようにして、電力計算部２２にはエリア１２内の消費電力の情報が順次入力し、電力計算部２２では順次加算処理を行う。
【００３９】
その後、エリア１２内の全ての電力消費装置から使用電力の情報が入力したか判断し（ＳＴＰ７）、未だ全ての電力消費装置からの使用電力の情報が入力していなければ（ＳＴＰ７がＮＯ）、更に他の電力消費装置からの使用電力の情報入力を待つ（ＳＴＰ４〜→ＳＴＰ７がＮＯ）。
【００４０】
その後、エリア１２内の全ての電力消費装置からの使用電力の情報入力が完了すると（ＳＴＰ７がＹＥＳ）、電力計算部２２によって使用電力の合計値を算出する（ＳＴＰ８）。制御部２０は電力ピーク値記憶部２３から電力ピーク値の情報を読み出し、上記電力計算部２２によって算出した消費電力の合計値と比較する（図９のＳＴＰ９）。そして、使用電力の合計値がピーク電力を超えたか判断し（ＳＴＰ１０）、使用電力の合計値がピーク電力を超えていなければ（ＳＴＰ１０がＮＯ）、エアコンＡ１の電源を投入する（ＳＴＰ１１）。
【００４１】
このように制御することによっても、エリア１２内の消費電力はピーク値を超えておらず、安全にエアコンＡ１の電力投入を行うことができる。また、本例の制御によれば、前述の第１の実施形態のように事業所毎に電力制御を行う必要が無く、電力消費装置（エアコンＡ１）自体によって制御を行うことができ、事業所毎の制御を省略することができる。
【００４２】
一方、上記判断（ＳＴＰ１０）において、使用電力の合計値がピーク電力を超えていれば（ＳＴＰ１０がＹＥＳ）、直ちにエアコンＡ１の電源を投入するとエリア１２内のシステム全体のピーク電力を超える為、一旦電源投入の指示を待つ（ＳＴＰ１２）。そして、制御部２０はレベル記憶部２４からレベル情報を読み出す（ＳＴＰ１３）。
【００４３】
レベル記憶部２４には前述のように、各装置（電力消費装置）の重要度のレベルが記憶されており、最もレベルの低い（最も重要度の低い）装置に対して電源停止の依頼を行い（ＳＴＰ１４）、以後当該装置からの受信を待つ（ＳＴＰ１５）。そして、当該装置から電源停止の通知があると（ＳＴＰ１６がＹＥＳ）、エアコンＡ１の電源を投入する（ＳＴＰ１７）。
【００４４】
このように制御することによって、エリア１２内の消費電力のピーク値を超えることなく、安全にエアコンＡ１の電力投入を行うことができる。尚、一定時間待っても当該装置からの通知がない場合には、例えば次にレベルの低い装置に電源停止の依頼を行ってもよい。以下、同様の処理を繰り返す。
【００４５】
以上のように制御することによって、電力消費装置（エアコンＡ１）自体で電力調整を行うことができ、更に上記エアコンＡ１に限らず、他の電力消費装置、例えばエレベータＥ１、Ｅ２、・・、電灯Ｌ１、Ｌ２、・・も同様の電力制御を行うことができる。
【符号の説明】
【００４６】
１−１、１−２、・・事業所
２・・・エリア
３−１、３−２、・・電源供給部
４−１、４−２、・・電源制御部
５−１、５−２、・・記憶装置
６・・ＣＰＵ
７・・・ＲＯＭ
８・・・ＲＡＭ
９・・・ディスプレイ
１０（ａ）・・メディアドライバ
１０（ｂ）・・記録媒体
１１、１１−１、１１−２、・・事業所
１２・・・エリア
１３−１、１３−２、・・電源供給部
Ａ、Ａ１、Ａ２、・・エアコン
Ｅ、Ｅ１、Ｅ２、・・エレベータ
Ｌ、Ｌ１、Ｌ２、・・電灯
【図１】
2018057177.tif 000003
【図２】
2018057177.tif 000004
【図３】
2018057177.tif 000005
【図４】
2018057177.tif 000006
【図５】
2018057177.tif 000007
【図６】
2018057177.tif 000008
【図７】
2018057177.tif 000009
【図８】
2018057177.tif 000010
【図９】
2018057177.tif 000011